(57)【要約】【課題】本発明は旅行用バックパックを開示した。【解決手段】本発明の旅行用バックパックは、物品箱を含み、前記物品箱の中には物品を収納できる物品チャンバが設けられ、前記物品チャンバの後側内壁にはコップを置けるコップポケットが固定的に取り付けられ、前記物品箱の頂部端面には第一バックパックカバーが固定的に取り付けられ、本発明の支持機構はバックパックを地面に支持することができ、補助機構はシート機構に支持力を提供することができ、左右両側の座席板は一つの平面を形成し、利用者はその上に座ることができ、支持機構および補助機構は一緒に使用者の体重を支持するための支持力を提供でき、それによって使用者がいつでもどこでも座るところがある。【選択図】図１
2020179071.tif 000002
【特許請求の範囲】
【請求項１】
旅行用バックパックであって、物品箱を含み、前記物品箱の中には物品を収納できる物品チャンバが設けられ、前記物品チャンバの後側内壁にはコップを置けるコップポケットが固定的に取り付けられ、前記物品箱の頂部端面には第一バックパックカバーが固定的に取り付けられ、前記第一バックパックカバーの前側端面にはゴムバンドが固定的に取り付けられ、前記物品箱の前側端面には凸ブロックが固定的に取り付けられ、前記ゴムバンドは前記凸ブロックを引っ掛けることができ、前記物品箱の左右両側端面には支持箱が固定的に取り付けられ、前記支持箱の頂部端面には第二バックパックカバーが固定的に取り付けられ、前記第二バックパックカバーの底部端面には前記支持箱にくっつけられる面ファスナーが固定的に取り付けられ、前記支持箱の中にはバックパックを支持できる支持機構が設けられ、前記支持機構には前記支持箱の底部端面に設置され且つ下に開口した支持溝が含まれ、前記支持溝の中には支持ブロックがスライドできるように取り付けられ、前記支持ブロックの中には抜き穴が上下に対称的に設けられ、前記支持溝には位置制限溝が連通して設けられ、前記位置制限溝の中には下側の前記抜き穴を貫通した位置制限ロッドがスライドできるように取り付けられ、前記支持溝のうち前記位置制限溝に相対している側には第一ばねチャンバが連通して設けられ、前記第一ばねチャンバの中には位置制限板がスライドできるように取り付けられ、前記位置制限板は前記位置制限ロッドと固定的に取り付けられ、前記位置制限板と前記第一ばねチャンバとの間には第一ばねが固定的に取り付けられ、前記位置制限ロッドは前記支持箱とスライドできるように取り付けられ、前記位置制限ロッドにはプルブロックが固定的に取り付けられ、前記支持溝の頂壁には支持チャンバが連通して設けられ、前記支持チャンバの前後内壁の間には回転ロッドが回転できるように取り付けられ、前記回転ロッドには支持ロッドが固定的に取り付けられ、前記支持ブロックの頂部端面には上に開口した引掛り溝が設けられ、前記支持ロッドは前記引掛り溝の中に引っ掛けて前記支持ブロックを支持でき、前記支持機構によって支持する時、前記プルブロックを通して前記位置制限ロッドを引き動かし、前記支持ブロックを下方に移動させ、このとき前記支持ロッドを回転させ、前記支持ロッドを前記引掛り溝の中に引っかからせ、それから前記プルブロックを放し、前記位置制限ロッドを上側の前記抜き穴の中に挿入し、前記支持ブロックが上方へ滑るのを防止し、前記支持機構の上方には着座できるシート機構が設けられ、前記シート機構の間には前記シート機構に支持力を提供できる補助機構が設けられることを特徴とする請求項１に記載の旅行用バックパック。
【請求項２】
前記補助機構には前記支持箱の頂部端面に設けられており且つ上に開口した補助チャンバが含まれ、前記補助チャンバの中には補助板がスライドできるように取り付けられ、前記補助板の中にはプッシュチャンバが前後に対称的に設けられ、前記プッシュチャンバの中にはプッシュブロックがスライドできるように取り付けられ、前記プッシュブロックと前記プッシュチャンバとの間には第二ばねが固定的に取り付けられ、前記プッシュチャンバの下方には移動チャンバが連通して設けられ、前記移動チャンバの中には移動ブロックが前後に対称的にスライドできるように取り付けられ、前記移動ブロックは前記プッシュブロックと固定的に連結され、前後の前記移動ブロックの間には第三ばねが固定的に取り付けられ、前記移動チャンバの下方には固定チャンバが連通して設けられ、前記移動ブロックの底部端面には固定板が左右に対称的に固定的に取り付けられ、前記固定板は前記固定チャンバとがスライドできるように取り付けられ、左右の前記固定チャンバの間には固定ロッドが回転できるように取り付けられ、前記固定ロッドには補助ロッドが固定的に取り付けられ、前記固定チャンバの下方には連結チャンバが連通して設けられ、前記連結チャンバの下方には置きチャンバが連通して設けられ、前記置きチャンバと前記連結チャンバの左右内壁にはスライド溝が連通して設けられ、左右の前記スライド溝の間にはスライドロッドがスライドできるように取り付けられ、前記スライドロッドは前記補助ロッドと回転できるように取り付けられ、前記支持箱の後側端面にはショルダーベルトが固定的に取り付けられ、
前記シート機構を支持するときには、前記プッシュチャンバによって前記補助板を引き上げ、前記補助ロッドを前記置きチャンバの中でスライドさせて前記連結チャンバの底壁に支持し、前記補助基板を使用しない場合、前記チャンバによって左右の前記プッシュブロックを互いに接近させ、前記補助ロッドを回転連動させて前記置きチャンバの中に置くことを特徴とする請求項１に記載の旅行用バックパック。
【請求項３】
前記シート機構は前記支持箱の頂部端面に左右に対称的に設けられる垂直チャンバを含み、前記垂直チャンバの中には垂直板がスライドできるように取り付けられ、前記垂直板の頂部端面には連結溝が設けられ、前記連結溝の前後内壁の間には連結ロッドが回転できるように取り付けられ、前記連結ロッドには座席板が固定的に取り付けられ、
使用者が座るとき、前記座席板を引き上げて回転させ、引き上げられた補助板の上に置き、両側の座席板は一つの平面を形成し、その上に座ることができることを特徴とする請求項１に記載の旅行用バックパック。
【発明の詳細な説明】
【技術分野】
【０００１】
本発明はバックパック分野を取り上げて、具体的には旅行用バックパックである。
【背景技術】
【０００２】
旅行するとき、空いている座席がない場合がよくあり、一般の旅行用バックパックには物品しか収納できなく、小さなベンチとして座ることはできなく、バックパックの上に直接座ると、バックパックの中身が損傷することがある。
【先行技術文献】
【特許文献】
【０００３】
【特許文献１】中国特許出願公開第１０８５２３３９１号明細書
【発明の概要】
【発明が解決しようとする課題】
【０００４】
本発明は旅行用バックパックを提供し、既存技術にある上記の欠点を解消することを目的とする。
【課題を解決するための手段】
【０００５】
本発明の旅行用バックパックは、物品箱を含み、前記物品箱の中には物品を収納できる物品チャンバが設けられ、前記物品チャンバの後側内壁にはコップを置けるコップポケットが固定的に取り付けられ、前記物品箱の頂部端面には第一バックパックカバーが固定的に取り付けられ、前記第一バックパックカバーの前側端面にはゴムバンドが固定的に取り付けられ、前記物品箱の前側端面には凸ブロックが固定的に取り付けられ、前記ゴムバンドは前記凸ブロックを引っ掛けることができ、前記物品箱の左右両側端面には支持箱が固定的に取り付けられ、前記支持箱の頂部端面には第二バックパックカバーが固定的に取り付けられ、前記第二バックパックカバーの底部端面には前記支持箱にくっつけられる面ファスナーが固定的に取り付けられ、前記支持箱の中にはバックパックを支持できる支持機構が設けられ、前記支持機構には前記支持箱の底部端面に設置され且つ下に開口した支持溝が含まれ、前記支持溝の中には支持ブロックがスライドできるように取り付けられ、前記支持ブロックの中には抜き穴が上下に対称的に設けられ、前記支持溝には位置制限溝が連通して設けられ、前記位置制限溝の中には下側の前記抜き穴を貫通した位置制限ロッドがスライドできるように取り付けられ、前記支持溝のうち前記位置制限溝に相対している側には第一ばねチャンバが連通して設けられ、前記第一ばねチャンバの中には位置制限板がスライドできるように取り付けられ、前記位置制限板は前記位置制限ロッドと固定的に取り付けられ、前記位置制限板と前記第一ばねチャンバとの間には第一ばねが固定的に取り付けられ、前記位置制限ロッドは前記支持箱とスライドできるように取り付けられ、前記位置制限ロッドにはプルブロックが固定的に取り付けられ、前記支持溝の頂壁には支持チャンバが連通して設けられ、前記支持チャンバの前後内壁の間には回転ロッドが回転できるように取り付けられ、前記回転ロッドには支持ロッドが固定的に取り付けられ、前記支持ブロックの頂部端面には上に開口した引掛り溝が設けられ、前記支持ロッドは前記引掛り溝の中に引っ掛けて前記支持ブロックを支持でき、前記支持機構によって支持する時、前記プルブロックを通して前記位置制限ロッドを引き動かし、前記支持ブロックを下方に移動させ、このとき前記支持ロッドを回転させ、前記支持ロッドを前記引掛り溝の中に引っかからせ、それから前記プルブロックを放し、前記位置制限ロッドを上側の前記抜き穴の中に挿入し、前記支持ブロックが上方へ滑るのを防止し、前記支持機構の上方には着座できるシート機構が設けられ、前記シート機構の間には前記シート機構に支持力を提供できる補助機構が設けられる。
【０００６】
前記補助機構には前記支持箱の頂部端面に設けられており且つ上に開口した補助チャンバが含まれ、前記補助チャンバの中には補助板がスライドできるように取り付けられ、前記補助板の中にはプッシュチャンバが前後に対称的に設けられ、前記プッシュチャンバの中にはプッシュブロックがスライドできるように取り付けられ、前記プッシュブロックと前記プッシュチャンバとの間には第二ばねが固定的に取り付けられ、前記プッシュチャンバの下方には移動チャンバが連通して設けられ、前記移動チャンバの中には移動ブロックが前後に対称的にスライドできるように取り付けられ、前記移動ブロックは前記プッシュブロックと固定的に連結され、前後の前記移動ブロックの間には第三ばねが固定的に取り付けられ、前記移動チャンバの下方には固定チャンバが連通して設けられ、前記移動ブロックの底部端面には固定板が左右に対称的に固定的に取り付けられ、前記固定板は前記固定チャンバとがスライドできるように取り付けられ、左右の前記固定チャンバの間には固定ロッドが回転できるように取り付けられ、前記固定ロッドには補助ロッドが固定的に取り付けられ、前記固定チャンバの下方には連結チャンバが連通して設けられ、前記連結チャンバの下方には置きチャンバが連通して設けられ、前記置きチャンバと前記連結チャンバの左右内壁にはスライド溝が連通して設けられ、左右の前記スライド溝の間にはスライドロッドがスライドできるように取り付けられ、前記スライドロッドは前記補助ロッドと回転できるように取り付けられ、前記支持箱の後側端面にはショルダーベルトが固定的に取り付けられている。
【０００７】
前記シート機構は前記支持箱の頂部端面に左右に対称的に設けられる垂直チャンバを含み、前記垂直チャンバの中には垂直板がスライドできるように取り付けられ、前記垂直板の頂部端面には連結溝が設けられ、前記連結溝の前後内壁の間には連結ロッドが回転できるように取り付けられ、前記連結ロッドには座席板が固定的に取り付けられ、
使用者が座るとき、前記座席板を引き上げて回転させ、引き上げられた補助板の上に置き、両側の座席板は一つの平面を形成し、その上に座ることができる
【発明の効果】
【０００８】
本発明の有益な効果は：本発明の支持機構はバックパックを地面に支持することができ、補助機構はシート機構に支持力を提供することができ、左右両側の座席板は一つの平面を形成し、利用者はその上に座ることができ、支持機構および補助機構は一緒に使用者の体重を支持するための支持力を提供でき、それによって使用者がいつでもどこでも座るところがあり、宣伝価値がある。
【図面の簡単な説明】
【０００９】
【図１】図１は本発明の構成略図
【図２】図２は図１の中のＡ−Ａ方向からの断面構成略図
【図３】図３は図１の中のＢ−Ｂ方向からの断面構成略図
【図４】図４は図１の中のＣの拡大図
【発明を実施するための形態】
【００１０】
下記に図１〜４を合わせて本発明を詳しく説明する。説明を便利にさせるように、ここで後文に出る方位を下記の通りに規定する：下記の上下左右前後という方向は図１自身の投影関係の上下左右前後の方向と一致している。
【００１１】
図１〜４を参照し、本発明の実施例の旅行用バックパックは、物品箱２９を含み、前記物品箱２９の中には物品を収納できる物品チャンバ３０が設けられ、前記物品チャンバ３０の後側内壁にはコップを置けるコップポケット２３が固定的に取り付けられ、前記物品箱２９の頂部端面には第一バックパックカバー３１が固定的に取り付けられ、前記第一バックパックカバー３１の前側端面にはゴムバンド３９が固定的に取り付けられ、前記物品箱２９の前側端面には凸ブロック４０が固定的に取り付けられ、前記ゴムバンド３９は前記凸ブロック４０を引っ掛けることができ、前記物品箱２９の左右両側端面には支持箱１５が固定的に取り付けられ、前記支持箱１５の頂部端面には第二バックパックカバー１３が固定的に取り付けられ、前記第二バックパックカバー１３の底部端面には前記支持箱１５にくっつけられる面ファスナー１４が固定的に取り付けられ、前記支持箱１５の中にはバックパックを支持できる支持機構７０が設けられ、前記支持機構７０には前記支持箱１５の底部端面に設置され且つ下に開口した支持溝５３が含まれ、前記支持溝５３の中には支持ブロック５４がスライドできるように取り付けられ、前記支持ブロック５４の中には抜き穴４１が上下に対称的に設けられ、前記支持溝５３には位置制限溝４７が連通して設けられ、前記位置制限溝４７の中には下側の前記抜き穴４１を貫通した位置制限ロッド４３がスライドできるように取り付けられ、前記支持溝５３のうち前記位置制限溝４７に相対している側には第一ばねチャンバ４２が連通して設けられ、前記第一ばねチャンバ４２の中には位置制限板４６がスライドできるように取り付けられ、前記位置制限板４６は前記位置制限ロッド４３と固定的に取り付けられ、前記位置制限板４６と前記第一ばねチャンバ４２との間には第一ばね４５が固定的に取り付けられ、前記位置制限ロッド４３は前記支持箱１５とスライドできるように取り付けられ、前記位置制限ロッド４３にはプルブロック４４が固定的に取り付けられ、前記支持溝５３の頂壁には支持チャンバ５０が連通して設けられ、前記支持チャンバ５０の前後内壁の間には回転ロッド５２が回転できるように取り付けられ、前記回転ロッド５２には支持ロッド４９が固定的に取り付けられ、前記支持ブロック５４の頂部端面には上に開口した引掛り溝５１が設けられ、前記支持ロッド４９は前記引掛り溝５１の中に引っ掛けて前記支持ブロック５４を支持でき、前記支持機構７０によって支持する時、前記プルブロック４４を通して前記位置制限ロッド４３を引き動かし、前記支持ブロック５４を下方に移動させ、このとき前記支持ロッド４９を回転させ、前記支持ロッド４９を前記引掛り溝５１の中に引っかからせ、それから前記プルブロック４４を放し、前記位置制限ロッド４３を上側の前記抜き穴４１の中に挿入し、前記支持ブロック５４が上方へ滑るのを防止し、前記支持機構７０の上方には着座できるシート機構８０が設けられ、前記シート機構８０の間には前記シート機構８０に支持力を提供できる補助機構９０が設けられる。
【００１２】
前記補助機構９０には前記支持箱１５の頂部端面に設けられており且つ上に開口した補助チャンバ５５が含まれ、前記補助チャンバ５５の中には補助板２８がスライドできるように取り付けられ、前記補助板２８の中にはプッシュチャンバ３５が前後に対称的に設けられ、前記プッシュチャンバ３５の中にはプッシュブロック３６がスライドできるように取り付けられ、前記プッシュブロック３６と前記プッシュチャンバ３５との間には第二ばね３８が固定的に取り付けられ、前記プッシュチャンバ３５の下方には移動チャンバ３４が連通して設けられ、前記移動チャンバ３４の中には移動ブロック２７が前後に対称的にスライドできるように取り付けられ、前記移動ブロック２７は前記プッシュブロック３６と固定的に連結され、前後の前記移動ブロック２７の間には第三ばね３７が固定的に取り付けられ、前記移動チャンバ３４の下方には固定チャンバ３３が連通して設けられ、前記移動ブロック２７の底部端面には固定板２６が左右に対称的に固定的に取り付けられ、前記固定板２６は前記固定チャンバ３３とがスライドできるように取り付けられ、左右の前記固定チャンバ３３の間には固定ロッド２５が回転できるように取り付けられ、前記固定ロッド２５には補助ロッド２１が固定的に取り付けられ、前記固定チャンバ３３の下方には連結チャンバ２４が連通して設けられ、前記連結チャンバ２４の下方には置きチャンバ２２が連通して設けられ、前記置きチャンバ２２と前記連結チャンバ２４の左右内壁にはスライド溝１６が連通して設けられ、左右の前記スライド溝１６の間にはスライドロッド１７がスライドできるように取り付けられ、前記スライドロッド１７は前記補助ロッド２１と回転できるように取り付けられ、前記支持箱１５の後側端面にはショルダーベルト３２が固定的に取り付けられ、
前記シート機構８０を支持するときには、前記プッシュチャンバ３５によって前記補助板２８を引き上げ、前記補助ロッド２１を前記置きチャンバ２２の中でスライドさせて前記連結チャンバ２４の底壁に支持し、前記補助基板２８を使用しない場合、前記チャンバ３５によって左右の前記プッシュブロック３６を互いに接近させ、前記補助ロッド２１を回転連動させて前記置きチャンバ２２の中に置く。
【００１３】
前記シート機構８０は前記支持箱１５の頂部端面に左右に対称的に設けられる垂直チャンバ１２を含み、前記垂直チャンバ１２の中には垂直板２０がスライドできるように取り付けられ、前記垂直板２０の頂部端面には連結溝１８が設けられ、前記連結溝１８の前後内壁の間には連結ロッド１９が回転できるように取り付けられ、前記連結ロッド１９には座席板１１が固定的に取り付けられ、
使用者が座るとき、前記座席板１１を引き上げて回転させ、引き上げられた補助板２８の上に置き、両側の座席板１１は一つの平面を形成し、その上に座ることができる。
【００１４】
使用するとき、前記支持機構７０によって支持し、前記プルブロック４４を通して前記位置制限ロッド４３を引き動かし、前記支持ブロック５４を下方に移動させ、このとき前記支持ロッド４９を回転させ、前記支持ロッド４９を前記引掛り溝５１の中に引っかからせ、そして前記プルブロック４４を放し、前記位置制限ロッド４３を上側の前記抜き穴４１の中に挿入し、前記支持ブロック５４が上方へ滑るのを防止し、そして、補助機構９０を用いてシート機構８０を支持し、プッシュチャンバ３５によって補助板２８を引き上げ、補助ロッド２１を置きチャンバ２２の中でスライドさせて連結チャンバ２４の底壁に支持し、補助板２８を使用しない場合、チャンバ３５によって左右のプッシュブロック３６を互いに接近させ、補助ロッド２１を回転連動させて置きチャンバ２２の中に置き、シート機構８０の中の座席板１１を引き上げて回転させ、引き上げられた補助板２８の上に置き、両側の座席板１１は一つの平面を形成し、その上に座ることができる。
【００１５】
本発明の有益な効果は：本発明の支持機構はバックパックを地面に支持することができ、補助機構はシート機構に支持力を提供することができ、左右両側の座席板１１は一つの平面を形成し、利用者はその上に座ることができ、支持機構および補助機構は一緒に使用者の体重を支持するための支持力を提供でき、それによって使用者がいつでもどこでも座るところがあり、宣伝価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179071.tif 000003
【図２】
2020179071.tif 000004
【図３】
2020179071.tif 000005
【図４】
2020179071.tif 000006